(57)【要約】【課題】想定されるケーブルの曲がり状況に合わせて、ケーブルが長手方向に移動することを弾性的に規制するように安定的にケーブルを拘束することができるケーブル拘束装置を提供する。【解決手段】ケーブル拘束装置は、ケーブルが長手方向に沿って移動することを弾性的に規制するようにケーブルを拘束するケーブル拘束部と、内部にケーブルを挿通し、ケーブル拘束部を固定する固定板と、ケーブルが布設される管路の管路口と固定板とを連結し、管路口および固定板の間で屈曲することにより、管路口に対する固定板の角度を調整可能な角度調整部と、を有する。【選択図】図１
2015171168.tif 000002
【特許請求の範囲】
【請求項１】
ケーブルが長手方向に沿って移動することを弾性的に規制するように前記ケーブルを拘束するケーブル拘束部と、
内部に前記ケーブルを挿通し、前記ケーブル拘束部を固定する固定板と、
前記ケーブルが布設される管路の管路口と前記固定板とを連結し、前記管路口および前記固定板の間で屈曲することにより、前記管路口に対する前記固定板の角度を調整可能な角度調整部と、
を有する
ことを特徴とするケーブル拘束装置。
【請求項２】
前記ケーブル拘束部は、前記ケーブルが前記管路口から屈曲した先で直線に沿った状態で前記ケーブルを拘束する
ことを特徴とする請求項１に記載のケーブル拘束装置。
【請求項３】
前記角度調整部は、
一端が前記管路口に固定される管路側ボルトと、
前記管路側ボルトに接続され、前記管路側ボルトの長手方向に垂直な方向に屈曲可能な屈曲部と、
前記屈曲部の前記管路側ボルトと反対側に接続され、前記屈曲部と反対側の端部が前記固定板に固定される拘束部側ボルトと、
を有する
ことを特徴とする請求項１または２に記載のケーブル拘束装置。
【請求項４】
前記角度調整部は、前記ケーブルの周囲に複数設けられ、
前記複数の角度調整部は、
屈曲した前記ケーブルの内側に配置され、前記屈曲部が前記管路口および前記固定板のそれぞれに対して所定の位置で固定される基準角度調整部と、
前記基準角度調整部から前記ケーブルの周方向に離間した位置に設けられ、前記屈曲部が前記管路口および前記固定板のそれぞれに対する位置を調整可能に前記管路口および前記固定板のそれぞれに対して固定される可動角度調整部と、
を含む
ことを特徴とする請求項３に記載のケーブル拘束装置。
【請求項５】
前記管路口から前記可動角度調整部の前記屈曲部までの距離は、前記管路口から前記基準角度調整部の前記屈曲部までの距離以上であり、
前記可動角度調整部の前記屈曲部から前記固定板までの距離は、前記基準角度調整部の前記屈曲部から前記固定板までの距離以上である
ことを特徴とする請求項４に記載のケーブル拘束装置。
【請求項６】
前記管路の延在方向に沿った鉛直面に投影したときの前記ケーブルが前記管路の延在方向に対して屈曲した角度をθとしたとき、
前記管路口と、前記基準角度調整部の前記屈曲部および前記可動角度調整部の前記屈曲部の間を結ぶ直線と、の角度は、θ／２であり、
前記基準角度調整部の前記屈曲部および前記可動角度調整部の前記屈曲部の間を結ぶ直線と、前記固定板と、の角度は、θ／２である
ことを特徴とする請求項４または５に記載のケーブル拘束装置。
【請求項７】
前記管路口から前記可動角度調整部の前記屈曲部までの距離は、前記可動角度調整部の前記屈曲部から前記固定板までの距離と等しい
ことを特徴とする請求項４〜６のいずれか１項に記載のケーブル拘束装置。
【請求項８】
前記基準角度調整部は、
前記管路側ボルトに一体として設けられ、一端が前記屈曲部に接続され、他端が前記管路口に接して固定される管路側ボルト頭部と、
前記拘束部側ボルトに一体として設けられ、一端が前記屈曲部に接続され、他端が前記固定板に接して固定される拘束側ボルト頭部と、
を有し、
前記可動角度調整部は、
前記管路側ボルトに別体として設けられ、前記管路側ボルトに移動可能に嵌められ、前記管路口に接して固定される管路側可動ナットと、
前記拘束部側ボルトに別体として設けられ、前記拘束部側ボルトに移動可能に嵌められ、前記固定板に接して固定される拘束側可動ナットと、
を有する
ことを特徴とする請求項４〜７のいずれか１項に記載のケーブル拘束装置。
【請求項９】
前記可動角度調整部は、複数設けられ、
前記複数の可動角度調整部は、
前記基準角度調整部から前記ケーブルの周方向に所定距離だけ離間した位置に設けられる第１可動角度調整部と、
前記ケーブルの中心を挟んで前記基準角度調整部と対称な位置に設けられる第２可動角度調整部と、
前記ケーブルの中心を挟んで前記第１可動角度調整部と対称な位置に設けられる第３可動角度調整部と、
を含む
ことを特徴とする請求項４〜８のいずれか１項に記載のケーブル拘束装置。
【請求項１０】
前記基準角度調整部、前記第１可動角度調整部、前記第２可動角度調整部および前記第３角度調整部は、前記ケーブルの周方向に互いに等間隔で設けられ、
前記基準角度調整部から前記第３角度調整部までの距離をＬ０、前記管路の延在方向に沿った鉛直面に投影したときの前記ケーブルが前記管路の延在方向に対して屈曲した角度をθ、前記管路の延在方向に垂直な鉛直面に投影したときの前記ケーブルが鉛直下方向に対して周方向に屈曲した角度をα、前記管路口から前記基準角度調整部の前記屈曲部までの距離に対する、前記管路口から前記第１可動角度調整部の前記屈曲部までの差分距離をＴ１、前記管路口から前記第２可動角度調整部の前記屈曲部までの差分距離をＴ２、および前記管路口から前記第３可動角度調整部の前記屈曲部までの差分距離をＴ３としたとき、Ｔ１、Ｔ２およびＴ３は、下記の式（１）〜（３）を満たす
ことを特徴とする請求項９に記載のケーブル拘束装置。
Ｔ１＝Ｌ０／√２×ｓｉｎ｜α｜×ｔａｎ｜θ｜／２  ・・・（１）
Ｔ２＝Ｌ０×ｓｉｎ（π／４＋｜α｜）×ｔａｎ｜θ｜／２  ・・・（２）
Ｔ３＝Ｌ０／√２×ｓｉｎ（π／２−｜α｜）×ｔａｎ｜θ｜／２  ・・・（３）
【請求項１１】
前記屈曲部は、ボールジョイントを有する
ことを特徴とする請求項３〜１０のいずれか１項に記載のケーブル拘束装置。
【請求項１２】
前記ケーブル拘束部は、
前記ケーブルの長手方向に沿って貫通する貫通孔を有し、前記ケーブルを当該ケーブルの短手方向の両側から把持する把持部と、
前記ケーブルの長手方向に沿って延在し、前記把持部の前記貫通孔に挿通する長ボルトと、
前記長ボルトに嵌められ、前記管路口と反対側の一端が前記把持部に接し、前記管路側の他端が前記長ボルトの中間に固定されるスプリングと、
を有し、
前記長ボルトは、前記固定板に固定される
ことを特徴とする請求項１〜１１のいずれか１項に記載のケーブル拘束装置。
【請求項１３】
ケーブルが布設される管路の管路口と、内部に前記ケーブルが挿通された状態の固定板と、を角度調整部により連結し、前記角度調整部を前記管路口および前記固定板の間で屈曲させることにより前記管路口に対する前記固定板の角度を調整する工程と、
ケーブル拘束部により前記ケーブルが長手方向に移動することを弾性的に規制するように前記ケーブルを拘束する工程と、
前記固定板に前記ケーブル拘束部を固定する工程と、
を有する
ことを特徴とするケーブル拘束装置の組み立て方法。
【発明の詳細な説明】
【技術分野】
【０００１】
本発明は、ケーブル拘束装置およびケーブル拘束装置の組み立て方法に関する。
【背景技術】
【０００２】
地中送電線路に使用されるケーブルは、地中に設けられた管路内に布設され、一定間隔に設けられたマンホール内で接続される。ここで、ケーブルの通電時には、電流の変化に伴って、ケーブルが熱伸縮する。このケーブルの熱伸縮を吸収するため、マンホール内にはケーブルがＳ字状に屈曲された状態で固定される。この屈曲部分は「オフセット部」と呼ばれている。
【０００３】
一方で、大型車両等が通行する道路の直下の浅い位置に管路が設けられる場合、大型車両の重量によって管路が撓み、その管路の撓みが大型車両の通過方向に連続的に生じる。このため、ケーブルが管路外へ伸び出すか、或いは管路内に引き込まれる可能性がある。このようなケーブルの移動現象を抑制するために、ケーブルを拘束するケーブル拘束装置が開示されている（例えば特許文献１）。
【０００４】
なお、特許文献２には、橋梁添加ケーブルの伸縮および角折れを吸収する装置が開示されている。特許文献２には、橋梁添加の両端を固定する第１および第２のケーブル固定部と、第１および第２のケーブル固定部のそれぞれに取り付けられた第１および第２の球面軸受部と、第１および第２の球面軸受部を連結する連結ロッドと、を備える装置が記載されている。少なくとも一方の球面軸受部が円軌道を描くことにより、橋軸直角方向の変位を吸収することができると記載されている。
【先行技術文献】
【特許文献】
【０００５】
【特許文献１】特開２００８−１２５１４８号公報
【特許文献２】特開２００７−２４４１８４号公報
【発明の概要】
【発明が解決しようとする課題】
【０００６】
特許文献１に記載のケーブル拘束装置が、ケーブルが長手方向に移動することを弾性的に規制するようにケーブルを拘束するためには、ケーブルが管路口近傍で直線状となっている必要がある。しかしながら、短いマンホール等では管路口近傍にケーブルの直線部分を確保できないため、ケーブル拘束装置を取り付けることができない場合がある。したがって、ケーブルの曲がり状況によっては、ケーブルが長手方向に移動することを弾性的に規制するようにケーブルを拘束することができない可能性がある。
【０００７】
本発明の目的は、想定されるケーブルの曲がり状況に合わせて、ケーブルが長手方向に移動することを弾性的に規制するように安定的にケーブルを拘束することができるケーブル拘束装置およびケーブル拘束装置の組み立て方法を提供することである。
【課題を解決するための手段】
【０００８】
本発明の第１の態様によれば、
ケーブルが長手方向に沿って移動することを弾性的に規制するように前記ケーブルを拘束するケーブル拘束部と、
内部に前記ケーブルを挿通し、前記ケーブル拘束部を固定する固定板と、
前記ケーブルが布設される管路の管路口と前記固定板とを連結し、前記管路口および前記固定板の間で屈曲することにより、前記管路口に対する前記固定板の角度を調整可能な角度調整部と、
を有する
ケーブル拘束装置が提供される。
【０００９】
本発明の第２の態様によれば、
前記ケーブル拘束部は、前記ケーブルが前記管路口から屈曲した先で直線に沿った状態で前記ケーブルを拘束する
第１の態様に記載のケーブル拘束装置が提供される。
【００１０】
本発明の第３の態様によれば、
前記角度調整部は、
一端が前記管路口に固定される管路側ボルトと、
前記管路側ボルトに接続され、前記管路側ボルトの長手方向に垂直な方向に屈曲可能な屈曲部と、
前記屈曲部の前記管路側ボルトと反対側に接続され、前記屈曲部と反対側の端部が前記固定板に固定される拘束部側ボルトと、
を有する
第１または第２の態様に記載のケーブル拘束装置が提供される。
【００１１】
本発明の第４の態様によれば、
前記角度調整部は、前記ケーブルの周囲に複数設けられ、
前記複数の角度調整部は、
屈曲した前記ケーブルの内側に配置され、前記屈曲部が前記管路口および前記固定板のそれぞれに対して所定の位置で固定される基準角度調整部と、
前記基準角度調整部から前記ケーブルの周方向に離間した位置に設けられ、前記屈曲部が前記管路口および前記固定板のそれぞれに対する位置を調整可能に前記管路口および前記固定板のそれぞれに対して固定される可動角度調整部と、
を含む
第３の態様のいずれかに記載のケーブル拘束装置が提供される。
【００１２】
本発明の第５の態様によれば、
前記管路口から前記可動角度調整部の前記屈曲部までの距離は、前記管路口から前記基準角度調整部の前記屈曲部までの距離以上であり、
前記可動角度調整部の前記屈曲部から前記固定板までの距離は、前記基準角度調整部の前記屈曲部から前記固定板までの距離以上である
第４の態様のいずれかに記載のケーブル拘束装置が提供される。
【００１３】
本発明の第６の態様によれば、
前記管路の延在方向に沿った鉛直面に投影したときの前記ケーブルが前記管路の延在方向に対して屈曲した角度をθとしたとき、
前記管路口と、前記基準角度調整部の前記屈曲部および前記可動角度調整部の前記屈曲部の間を結ぶ直線と、の角度は、θ／２であり、
前記基準角度調整部の前記屈曲部および前記可動角度調整部の前記屈曲部の間を結ぶ直線と、前記固定板と、の角度は、θ／２である
第４または第５の態様に記載のケーブル拘束装置が提供される。
【００１４】
本発明の第７の態様によれば、
前記管路口から前記可動角度調整部の前記屈曲部までの距離は、前記可動角度調整部の前記屈曲部から前記固定板までの距離と等しい
第４〜第６の態様のいずれかに記載のケーブル拘束装置が提供される。
【００１５】
本発明の第８の態様によれば、
前記基準角度調整部は、
前記管路側ボルトに一体として設けられ、一端が前記屈曲部に接続され、他端が前記管路口に接して固定される管路側ボルト頭部と、
前記拘束部側ボルトに一体として設けられ、一端が前記屈曲部に接続され、他端が前記固定板に接して固定される拘束側ボルト頭部と、
を有し、
前記可動角度調整部は、
前記管路側ボルトに別体として設けられ、前記管路側ボルトに移動可能に嵌められ、前記管路口に接して固定される管路側可動ナットと、
前記拘束部側ボルトに別体として設けられ、前記拘束部側ボルトに移動可能に嵌められ、前記固定板に接して固定される拘束側可動ナットと、
を有する
第４〜第７の態様のいずれかに記載のケーブル拘束装置が提供される。
【００１６】
本発明の第９の態様によれば、
前記可動角度調整部は、複数設けられ、
前記複数の可動角度調整部は、
前記基準角度調整部から前記ケーブルの周方向に所定距離だけ離間した位置に設けられる第１可動角度調整部と、
前記ケーブルの中心を挟んで前記基準角度調整部と対称な位置に設けられる第２可動角度調整部と、
前記ケーブルの中心を挟んで前記第１可動角度調整部と対称な位置に設けられる第３可動角度調整部と、
を含む
第４〜第８の態様のいずれかに記載のケーブル拘束装置が提供される。
【００１７】
本発明の第１０の態様によれば、
前記基準角度調整部、前記第１可動角度調整部、前記第２可動角度調整部および前記第３角度調整部は、前記ケーブルの周方向に互いに等間隔で設けられ、
前記基準角度調整部から前記第３角度調整部までの距離をＬ０、前記管路の延在方向に沿った鉛直面に投影したときの前記ケーブルが前記管路の延在方向に対して屈曲した角度をθ、前記管路の延在方向に垂直な鉛直面に投影したときの前記ケーブルが鉛直下方向に対して周方向に屈曲した角度をα、前記管路口から前記基準角度調整部の前記屈曲部までの距離に対する、前記管路口から前記第１可動角度調整部の前記屈曲部までの差分距離をＴ１、前記管路口から前記第２可動角度調整部の前記屈曲部までの差分距離をＴ２、および前記管路口から前記第３可動角度調整部の前記屈曲部までの差分距離をＴ３としたとき、Ｔ１、Ｔ２およびＴ３は、下記の式（１）〜（３）を満たす
第９の態様に記載のケーブル拘束装置が提供される。
Ｔ１＝Ｌ０／√２×ｓｉｎ｜α｜×ｔａｎ｜θ｜／２  ・・・（１）
Ｔ２＝Ｌ０×ｓｉｎ（π／４＋｜α｜）×ｔａｎ｜θ｜／２  ・・・（２）
Ｔ３＝Ｌ０／√２×ｓｉｎ（π／２−｜α｜）×ｔａｎ｜θ｜／２  ・・・（３）
【００１８】
本発明の第１１の態様によれば、
前記屈曲部は、ボールジョイントを有する
第３〜第１０の態様のいずれかに記載のケーブル拘束装置が提供される。
【００１９】
本発明の第１２の態様によれば、
前記ケーブル拘束部は、
前記ケーブルの長手方向に沿って貫通する貫通孔を有し、前記ケーブルを当該ケーブルの短手方向の両側から把持する把持部と、
前記ケーブルの長手方向に沿って延在し、前記把持部の前記貫通孔に挿通する長ボルトと、
前記長ボルトに嵌められ、前記管路口と反対側の一端が前記把持部に接し、前記管路側の他端が前記長ボルトの中間に固定されるスプリングと、
を有し、
前記長ボルトは、前記固定板に固定される
第１〜第１１の態様のいずれかに記載のケーブル拘束装置が提供される。
【００２０】
本発明の第１３の態様によれば、
ケーブルが布設される管路の管路口と、内部に前記ケーブルが挿通された状態の固定板と、を角度調整部により連結し、前記角度調整部を前記管路口および前記固定板の間で屈曲させることにより前記管路口に対する前記固定板の角度を調整する工程と、
ケーブル拘束部により前記ケーブルが長手方向に移動することを弾性的に規制するように前記ケーブルを拘束する工程と、
前記固定板に前記ケーブル拘束部を固定する工程と、
を有する
ケーブル拘束装置の組み立て方法が提供される。
【発明の効果】
【００２１】
本発明によれば、想定されるケーブルの曲がり状況に合わせて、ケーブルが長手方向に移動することを弾性的に規制するように安定的にケーブルを拘束することができるケーブル拘束装置およびケーブル拘束装置の組み立て方法が提供される。
【図面の簡単な説明】
【００２２】
【図１】本発明の一実施形態に係るケーブル拘束装置を示す正面図である。
【図２】把持部を示す斜視図である。
【図３】ケーブル拘束部の一部および固定板の一部を示す斜視図である。
【図４】固定板を示す斜視図である。
【図５】（ａ）は、基準角度調整部を示す模式図であり、（ｂ）は、可動角度調整部を示す模式図である。
【図６】（ａ）は、固定板をケーブル拘束部側から見た側面図であり、（ｂ）および（ｃ）は、それぞれケーブルが管路口から矢印方向に屈曲したときの固定板をケーブル拘束部側から見た側面図である。
【図７】管路口から第１可動角度調整部の屈曲部までの差分距離Ｔ１を選定する図である。
【図８】管路口から第２可動角度調整部の屈曲部までの差分距離Ｔ２を選定する図である。
【図９】管路口から第３可動角度調整部の屈曲部までの距離Ｔ３を選定する図である。
【発明を実施するための形態】
【００２３】
＜本発明の一実施形態＞
（１）ケーブル拘束装置の構造
本発明の一実施形態に係るケーブル拘束装置１０について、図１〜図４、図６（ａ）を用いて説明する。図１は、本発明の一実施形態に係るケーブル拘束装置を示す正面図である。なお、図１において、後述するボルト２１９の軸部は省略されている。図２は、把持部を示す斜視図である。図３は、ケーブル拘束部の一部および固定板の一部を示す斜視図である。図４は、固定板を示す斜視図である。図６（ａ）は、固定板をケーブル拘束部側から見た側面図である。
【００２４】
（構成概略）
図１に示されているように、壁面９０に対して垂直で水平な方向に設けられた防水管９２０内に、管路９２が設けられている。管路９２には、ケーブル１００（ケーブル１００ａ，１００ｂ，ケーブル１００ｃは不図示）が挿通されている。管路９２の管路口９４から出たケーブル１００は、マンホール内でＳ字状に屈曲される（オフセット部を形成する）。本実施形態では、例えばマンホールが短いため、ケーブル１００は、管路口９４近傍からオフセット部を形成するように、管路９２の延在方向に対して鉛直下方向に向けて屈曲される。
【００２５】
ここでいうケーブル１００とは、例えば高圧電力の地中送電線として用いられるＣＶケーブル（Ｃｒｏｓｓ−Ｌｉｎｋｅｄ  Ｐｏｌｙｅｔｈｙｌｅｎｅ  ｉｎｓｕｌａｔｅｄ  Ｖｉｎｙｌｃｈｌｏｒｉｄｅ  ｓｈｅａｔｈ  ｃａｂｌｅ）である。
【００２６】
防水管９２０のフランジ部９２２には、パッキン（不図示）を介して、管路口９４を構成する管路口防水装置締め付け金具９４０が取り付けられる。管路口９４（管路口防水装置締め付け金具９４０）には、本実施形態のケーブル拘束装置１０が固定される。
【００２７】
本実施形態のケーブル拘束装置１０は、管路９２近傍においてケーブル１００が屈曲している場合であってもケーブル１００が長手方向に移動することを弾性的に規制するようにケーブル１００を拘束するよう構成される。本実施形態のケーブル拘束装置１０は、ケーブル１００が長手方向に移動することを弾性的に規制するようにケーブル１００を拘束するケーブル拘束部２０と、内部にケーブル１００を挿通しケーブル拘束部２０を固定する固定板３００と、ケーブル１００が布設される管路９２が管路口９４と固定板３００とを連結し、管路口９４および固定板３００の間で屈曲することにより、管路口９４に対する固定板３００の角度を調整可能な角度調整部４００と、を有する。以下、ケーブル拘束部２０側から順に詳細を説明する。
【００２８】
なお、以下において、「管路口９４に対する固定板３００の角度」とは、管路口９４を形成する面に対する固定板３００の角度のことをいう。また、以下において、ケーブル拘束装置１０が固定される「管路口９４」とは、管路９２の端部の開口だけでなく、管路９２の開口が開設された壁面や、管路口防水装置締め付け金具などの管路９２の開口に設けられる周辺部材を含む。本実施形態では、管路口９４を形成する面は、管路口防水装置締め付け金具９４０の主面と同一であるとして説明する。また、「管路口９４に連結される（固定される）」とは、具体的には、「管路口防水装置締め付け金具９４０に連結される（固定される）」こととして説明する。
【００２９】
また、以下において、ケーブル１００の「長手方向」とはケーブル１００の延在する方向のことをいい、ケーブル１００の「軸方向」とも言い換えることができる。ケーブル１００の「短手方向」とは、ケーブル１００の長手方向に対して垂直な方向のことをいい、ケーブル１００の「径方向」とも言い換えることができる。また、ケーブル１００の「周方向」とはケーブル１００の外周に沿った方向のことをいう。
【００３０】
（ケーブル拘束部）
次に、図１〜図３を用い、ケーブル拘束部２０について説明する。図１に示されているように、ケーブル拘束部２０は、主に、把持部２００、長ボルト２０９、スプリング２１０により構成され、ケーブル１００は、ケーブル拘束部２０により拘束される。
【００３１】
（把持部）
図１および図２に示されているように、ケーブル拘束部２０は、ケーブル１００を把持する把持部２００を有する。把持部２００は、例えば第１把持金物２０１、第２把持金物２０２および第３把持金物２０３を有し、第１把持金物２０１、第２把持金物２０２および第３把持金物２０３によって３本のケーブル１００のそれぞれを短手方向の両側から把持するよう構成される。
【００３２】
第１把持金物２０１は、断面が半円状の凹部２０１ａを有する。当該凹部２０１ａには、半円筒状のゴムスペーサ２２８が嵌合する。凹部２０１ａには、ゴムスペーサ２２８を介して、ケーブル１００ａの下面が嵌合する。また、凹部２０１ａの短手方向の両側には、ボルト穴２２１が設けられる。一方、第１把持金物２０１の凹部２０１ａと反対側には、断面が半円状の２つの凹部２０１ｂが設けられる。当該凹部２０１ｂには、半円筒状のゴムスペーサ２２９が嵌合する。２つの凹部２０１ｂのそれぞれには、ゴムスペーサ２２９を介して、ケーブル１００ｂ，１００ｃのそれぞれの上面が嵌合する。また、凹部２０１ｂの短手方向の両側には、ボルト穴２２１が設けられる。また、第１把持金物２０１のケーブル１００の長手方向に垂直な管路口９４と反対側の側面には、後述するボルト２２２が螺合するボルト穴（符号不図示）が設けられる。
【００３３】
第２把持金物２０２は、断面が半円状の凹部２０２ａを有する。当該凹部２０２ａには、半円筒状のゴムスペーサ２２７が嵌合する。凹部２０２ａには、ゴムスペーサ２２７を介して、ケーブル１００ａの上面が嵌合する。また、凹部２０２ａの短手方向の両側には、筒状部２０２ｔが設けられる。筒状部２０２ｔの内部には、ばね２１８およびばね押さえ２２０を介してボルト２１９が挿入される。ボルト２１９は第１把持金物２０１のボルト穴２２１に螺合する。第２把持金物２０２は、ばね２１８の反発力により、第１把持金物２０１に押し付けられる。これにより、第１把持金物２０１および第２把持金物２０２によってケーブル１００ａが把持される。ここでは、例えば、第２把持金物２０２は、ケーブル１００の長手方向に２つ並列して配置される。
【００３４】
第３把持金物２０３は、断面が半円状の２つの凹部２０３ａを有する。当該凹部２０３ａには、半円筒状のゴムスペーサ２３０が嵌合する。２つの凹部２０３ａのそれぞれには、ゴムスペーサ２３０を介して、ケーブル１００ｂ，１００ｃのそれぞれの下面が嵌合する。また、凹部２０３ａの短手方向の両側には、筒状部２０３ｔが設けられる。筒状部２０３ｔの内部には、ばね２１８およびばね押さえ２２０を介してボルト２１９が挿入される。ボルト２１９は第１把持金物２０１のボルト穴２２１に螺合する。第３把持金物２０３は、ばね２１８の反発力により、第１把持金物２０１に押し付けられる。これにより、第１把持金物２０１および第３把持金物２０３によってケーブル１００ｂ，１００ｃが把持される。ここでは、例えば、第３把持金物２０３は、ケーブル１００の長手方向に２つ並列して配置される。
【００３５】
このように、ケーブル１００ａ，１００ｂ，１００ｃのそれぞれは、短手方向の両側から第１把持金物２０１、第２把持金物２０２および第３把持金物２０３によって把持される。ケーブル１００ａ，１００ｂ，１００ｃは、把持部２００によって直線的に把持される。
【００３６】
把持部２００は、Ｕ字状のガイド金物上部２０８およびガイド金物下部２０７を有する。ガイド金物上部２０８の両端は、それぞれガイド金物下部２０７の両端に嵌合する。ガイド金物上部２０８の両端には、それぞれ貫通孔２０８ａが設けられ、ガイド金物下部２０７の両端には、それぞれ貫通孔２０８ａと重なる位置に貫通孔２０７ａが設けられる。ガイド金物上部２０８の両端がガイド金物下部２０７の両端に嵌合した状態で、ボルト２２４ａが貫通孔２０７ａ，２０８ａに挿入されナット２２４ｂによって固定される。これにより、ガイド金物上部２０８およびガイド金物下部２０７がケーブル１００を囲むように連結される。
【００３７】
ガイド金物上部２０８には、Ｕ字に沿った面に垂直な方向に貫通する貫通孔２０８ｃが設けられる。貫通孔２０８ｃには、ボルト２２２が挿入される。ボルト２２２はガイド金物上部２０８の貫通孔２０８ｃを介して第１把持金物２０１のボルト穴に螺合する。これにより、ガイド金物上部２０８は第１把持金物２０１に連結される。
【００３８】
さらに、ガイド金物上部２０８には、Ｕ字に沿った面に垂直な方向に貫通し、後述する長ボルト２０９が挿入される２つの貫通孔２０８ｂが設けられる。２つの貫通孔２０８ｂは、当該２つの貫通孔２０８ｂのそれぞれに挿通する長ボルト２０９が第２把持金物２０２の筒状部２０２ｔに干渉しない位置に設けられる。同様に、ガイド金物下部２０７には、Ｕ字に沿った面に垂直な方向に貫通し、後述する長ボルト２０９が挿入される２つの貫通孔２０７ｂが設けられる。２つの貫通孔２０７ｂは、当該２つの貫通孔２０７ｂのそれぞれに挿通する長ボルト２０９が第３把持金物２０３の筒状部２０３ｔに干渉しない位置に設けられる。
【００３９】
ガイド金物上部２０８およびガイド金物下部２０７は、把持部２００よりも管路口９４と反対側に配置される。
【００４０】
（長ボルトおよびスプリング）
図１および図３に示されているように、ケーブル拘束部２０は、ケーブル１００の長手方向に沿って延在しガイド金物上部２０８の貫通孔２０８ｂおよびガイド金物下部２０７の貫通孔２０７ｂに挿通する４つの長ボルト２０９を有する。４つの長ボルト２０９の管路口９４側の端部は、それぞれ後述する固定板３００に固定される。以下、ガイド金物上部２０８の貫通孔２０８ｂに挿通する長ボルト２０９に係る構成について詳細を説明する。なお、ガイド金物下部２０７の貫通孔２０７ｂに挿通する長ボルト２０９に係る構成は、ガイド金物上部２０８の貫通孔２０８ｂに挿通する長ボルト２０９に係る構成と同様である。
【００４１】
長ボルト２０９の（管路口９４と反対側の）一端には、袋ナット２１７およびナット２１５が螺合する。長ボルト２０９は、ガイド金物上部２０８の第１把持金物２０１と反対側から、ガイド金物上部２０８の貫通孔２０８ｂに挿入される。
【００４２】
一方、長ボルト２０９には、ガイド金物上部２０８の第１把持金物２０１側の位置に、ワッシャ（ばね用座金）２１３を介して、スプリング（圧縮コイルばね）２１０が嵌められる。スプリング２１０の管路口９４と反対側の一端は、ワッシャ２１３を介してガイド金物上部２０８に接する。長ボルト２０９には、スプリング２１０のガイド金物上部２０８と反対側の位置に、ワッシャ（ばね用座金）２１２を介して、ナット２３５，２３６が螺合する。これにより、スプリング２１０の管路口９４側の他端は、ナット２３５，２３６によって長ボルト２０９の中間に固定される。
【００４３】
このように、ガイド金物上部２０８の第１把持金物２０１側の側面には、スプリング２１０がナット２３５，２３６によって長ボルト２０９の中間に固定される。長ボルト２０９において、ナット２３５，２３６の位置を調整することにより、ケーブル１００を管路９２内に引き込む力（波乗り力）に抗する力をケーブル１００に与えることができる。
【００４４】
これにより、ケーブル１００が管路９２内に引き込まれようとしたとき、スプリング２１０の反発力によって把持部２００が管路９２側に移動することが抑制されることによって、把持部２００によって把持されるケーブル１００が管路９２内に引き込まれることが抑制される。したがって、ケーブル１００が長手方向に沿って移動することが弾性的に規制される。なお、一方で、ケーブル１００が管路９２から伸び出そうとしたとき、把持部２００によって把持されるケーブル１００は自由に伸び出すことが可能となっている。
【００４５】
以上のように、主に、把持部２００、長ボルト２０９、スプリング２１０により、ケーブル拘束部２０が構成される。
【００４６】
（固定板）
図１、図４および図６（ａ）に示されているように、ケーブル拘束装置１０は、ケーブル拘束部２０を固定する固定板３００を有する。固定板３００は、Ｕ字状の固定板上部３０５並びに固定板下部３０４、および連結板（継目板）３０６を有する。固定板上部３０５および固定板下部３０４は、それぞれ、主面に垂直な方向に貫通する貫通孔３０５ｃ，３０４ｃが設けられる。連結板３０６には、貫通孔３０５ｃ，３０４ｃと重なる位置に貫通孔３０６ａが設けられる。固定板上部３０５の貫通孔３０５ｃ、固定板下部３０４の貫通孔３０４ｃがそれぞれ連結板３０６の貫通孔３０６ａに重なった状態で、ボルト３２３が貫通孔３０５ｃ，３０４ｃのそれぞれに挿入され、ナット３２４によって固定される。これにより、固定板上部３０５および固定板下部３０４は、ケーブル１００を囲むように連結板３０６によって連結される。
【００４７】
図３に示されているように、固定板上部３０５には、主面に垂直な方向に貫通する２つの貫通孔３０５ａが設けられる。貫通孔３０５ａには、上述した長ボルト２０９の管路口９４側（袋ナット２１７と反対側）の端部が挿入される。長ボルト２０９には、固定板上部３０５を挟んで両側の位置に、それぞれスプリングワッシャ３１６ａおよび平ワッシャ３１６ｂを介してナット３１４が螺合する。同様にして、固定板下部３０４には、主面に垂直な方向に貫通する２つの貫通孔３０４ａが設けられる。貫通孔３０４ａには、上述した長ボルト２０９の管路口９４側（袋ナット２１７と反対側）の端部が挿入される。長ボルト２０９には、固定板下部３０４を挟んで両側の位置に、それぞれスプリングワッシャ３１６ａおよび平ワッシャ３１６ｂを介してナット３１４が螺合する。これにより、ケーブル拘束部２０の長ボルト２０９は、固定板３００の主面に垂直な方向に沿って固定板３００に固定される。
【００４８】
また、図３に示されているように、固定板上部３０５には、角部近傍の位置に、主面に垂直な方向に貫通する２つの貫通孔３０５ｂがさらに設けられる。貫通孔３０５ｂには、後述する角度調整部４００の拘束部側ボルト５３０が挿通する。同様に、固定板下部３０４には、角部近傍の位置に、主面に垂直な方向に貫通する２つの貫通孔３０４ｂがさらに設けられる。固定板下部３０４の２つの貫通孔３０４ｂは、固定板３００で囲まれる中心を挟んで、固定板上部３０５の２つの貫通孔３０５ｂと対称に配置される。貫通孔３０４ｂには、後述する角度調整部４００の拘束部側ボルト５３０が挿通する。
【００４９】
（角度調整部）
次に、図１、図５を用い、角度調整部４００について説明する。図５（ａ）は、基準角度調整部を示す模式図であり、（ｂ）は、可動角度調整部を示す模式図である。なお、図５（ａ）および（ｂ）の一部は断面図となっている。
【００５０】
まず、角度調整部４００の構成の概略を説明する。
【００５１】
図１に示されているように、角度調整部４００は、ケーブル１００が布設される管路９２の管路口９４（管路口防水装置締め付け金具９４０）と固定板３００とを連結するよう構成される。また、角度調整部４００は、管路口９４および固定板３００の間で屈曲することにより、管路口９４に対する固定板３００の角度を調整可能である。これにより、ケーブル拘束部２０は、ケーブル１００が管路口９４から屈曲した先で直線に沿った状態でケーブル１００を拘束することが可能となる。
【００５２】
角度調整部４００は、管路口９４側に設けられる管路側ボルト５２０と、屈曲部５１０と、ケーブル拘束部２０側に設けられる拘束部側ボルト５３０と、を有する。管路側ボルト５２０の一端は、管路口９４（管路口防水装置締め付け金具９４０）に固定される。管路側ボルト５２０は、例えば管路口９４に対して垂直な方向に沿うように固定される。屈曲部５１０は、管路側ボルト５２０に接続され、管路側ボルト５２０の長手方向に垂直な方向に屈曲可能である。屈曲部５１０は、例えばボールジョイントである。拘束部側ボルト５３０は、屈曲部５１０の管路側ボルト５２０と反対側に接続される。拘束部側ボルト５３０の屈曲部５１０と反対側は、固定板３００に固定される。
【００５３】
ここで、角度調整部４００は、ケーブル１００の周囲に（ケーブル１００の短手方向に）複数設けられる。複数の角度調整部４００は、管路口９４（管路口防水装置締め付け金具９４０）および固定板３００のそれぞれへの固定方法の違いによって、基準角度調整部４１０と、可動角度調整部４２０と、に分類される。以下、基準角度調整部４１０および可動角度調整部４２０のそれぞれについて詳細を説明する。
【００５４】
（基準角度調整部）
図１に示されているように、基準角度調整部４１０は、屈曲したケーブル１００の内側に配置される。言い換えれば、基準角度調整部４１０は、ケーブル１００の屈曲方向に近い側に配置される。また、基準角度調整部４１０の屈曲部５１０ａは、管路口９４（管路口防水装置締め付け金具９４０）および固定板３００のそれぞれに対して所定の位置で固定される。
【００５５】
具体的には、図１および図５（ａ）に示されているように、基準角度調整部４１０の管路側ボルト５２０ａには、管路側ボルト５２０ａと一体として管路側ボルト頭部５４０が設けられる。管路側ボルト頭部５４０の一端は屈曲部５１０ａに接続される。基準角度調整部４１０の管路側ボルト５２０ａは、管路口防水装置締め付け金具９４０に設けられる貫通孔（不図示）および防水管９２０のフランジ部９２２に設けられる貫通孔（不図示）に挿入され、フランジ部９２２の管路９２側に設けられるナット９４２ａによって管路口９４（管路口防水装置締め付け金具９４０）に固定される。管路側ボルト頭部５４０の屈曲部５１０ａと反対側の他端は、管路口９４（管路口防水装置締め付け金具９４０）に接して固定される。これにより、基準角度調整部４１０の屈曲部５１０ａは、管路口９４から管路側ボルト頭部５４０の軸方向の長さだけ離間した位置に固定される。
【００５６】
また、基準角度調整部４１０の拘束部側ボルト５３０ａには、拘束部側ボルト５３０ａと一体として拘束側ボルト頭部５５０が設けられる。拘束側ボルト頭部５５０の一端は屈曲部５１０ａに接続される。基準角度調整部４１０の拘束部側ボルト５３０ａは、固定板下部３０４の貫通孔３０４ｂに挿入され、ナット５５２によって固定板３００に固定される。拘束側ボルト頭部５５０の屈曲部５１０ａと反対側の他端は固定板３００に接して固定される。これにより、基準角度調整部４１０の屈曲部５１０ａは、固定板３００から拘束側ボルト頭部５５０の軸方向の長さだけ離間した位置に固定される。
【００５７】
例えば、管路側ボルト頭部５４０の軸方向の長さ、および拘束側ボルト頭部５５０の軸方向の長さは、管路側ボルト頭部５４０の屈曲部５１０ａと反対側の端部から屈曲部５１０ａまでの距離が屈曲部５１０ａから拘束側ボルト頭部５５０の屈曲部５１０ａと反対側の端部までの距離と等しくなるように設定される。これにより、後述するように、管路口９４から可動角度調整部４２０の屈曲部５１０ｂまでの距離を、可動角度調整部４２０の屈曲部５１０ｂから固定板３００までの距離と等しくすることができる。
【００５８】
（可動角度調整部）
一方、図１に示されているように、可動角度調整部４２０は、基準角度調整部４１０からケーブル１００の周方向（短手方向）に離間した位置に設けられる。なお、図１には、後述するように、３つの可動角度調整部４２０のうち、第３可動角度調整部４２３が示されている。可動角度調整部４２０の屈曲部５１０ｂは、管路口９４および固定板３００のそれぞれに対する位置を調整可能に、管路口９４（管路口防水装置締め付け金具９４０）および固定板３００のそれぞれに対して固定される。
【００５９】
具体的には、図１および図５（ｂ）に示されているように、可動角度調整部４２０の管路側ボルト５２０ｂには、管路側ボルト５２０ｂと別体として管路側可動ナット５６０が設けられる。管路側可動ナット５６０は、管路側ボルト５２０ｂに移動可能に嵌められる。管路側可動ナット５６０は、例えばダブルナットであり、ナット５６０ａ，５６０ｂを有する。可動角度調整部４２０の管路側ボルト５２０ｂは、管路口防水装置締め付け金具９４０に設けられる貫通孔（不図示）および防水管９２０のフランジ部９２２に設けられる貫通孔（不図示）に挿入され、管路口９４（管路口防水装置締め付け金具９４０）から可動角度調整部４２０の屈曲部５１０ｂまでの距離が所定の長さとなるように、フランジ部９２２の管路９２側に設けられるナット９４２ｂおよび管路側可動ナット５６０によって管路口９４（管路口防水装置締め付け金具９４０）に固定される。管路側可動ナット５６０は、管路口９４（管路口防水装置締め付け金具９４０）に接して固定される。
【００６０】
また、可動角度調整部４２０の拘束部側ボルト５３０ｂには、拘束部側ボルト５３０ｂと別体として拘束側可動ナット５７４が設けられる。拘束側可動ナット５７４は、拘束部側ボルト５３０ｂに移動可能に嵌められる。可動角度調整部４２０の拘束部側ボルト５３０ｂは、固定板上部３０５の貫通孔３０５ｂまたは固定板下部３０４の貫通孔３０４ｂに挿入され、可動角度調整部４２０の屈曲部５１０ｂから固定板３００までの距離が所定の長さとなるように、拘束側可動ナット５７４およびナット５７６によって固定板３００に固定される。拘束側可動ナット５７４は、固定板３００に接して固定される。
【００６１】
（各々の角度調整部の配置）
次に、図１および図６を用い、各々の角度調整部４００の配置について説明する。図６（ｂ）および（ｃ）は、それぞれケーブルが管路口から矢印方向に屈曲したときの固定板をケーブル拘束部側から見た側面図である。図６（ｂ）は、ケーブル拘束部２０側から管路口９４側を見てケーブル１００が管路口９４から鉛直下方向に対して反時計回りに（５°）屈曲した場合を示し、図６（ｃ）は、ケーブル拘束部２０側から管路口９４側を見てケーブル１００が鉛直下方向に対して時計回りに（１０°）屈曲した場合を示している。なお、図６（ｂ）および（ｃ）では、固定板３００のケーブル１００が挿通する孔を省略している。
【００６２】
図６（ａ）に示されているように、角度調整部４００は、例えば、４つ設けられる。４つの角度調整部４００は、基準角度調整部４１０、第１可動角度調整部４２１、第２可動角度調整部４２２、および第３可動角度調整部４２３で構成される。基準角度調整部４１０は、屈曲したケーブル１００に対して最も内側に配置される。第１可動角度調整部４２１は、基準角度調整部４１０からケーブル１００の周方向に所定距離だけ離間した位置に設けられる。第２可動角度調整部４２２は、ケーブル１００の中心を挟んで基準角度調整部４１０と対称な位置に設けられる。また、第３可動角度調整部４２３は、ケーブル１００の中心を挟んで第１可動角度調整部４２１と対称な位置に設けられる。なお、「ケーブル１００の中心」とは、本実施形態ではケーブル１００ａ，１００ｂ，１００ｃの配置の中心のことである。
【００６３】
本実施形態では、例えば、固定板３００において、基準角度調整部４１０、第１可動角度調整部４２１、第２可動角度調整部４２２および第３可動角度調整部４２３は、ケーブル１００の周方向に互いに等間隔に固定される。固定板３００における基準角度調整部４１０および第３可動角度調整部４２３の間の距離、第１可動角度調整部４２１および第３可動角度調整部４２３の間の距離をＬ０としたとき、基準角度調整部４１０、第１可動角度調整部４２１、第２可動角度調整部４２２および第３可動角度調整部４２３のそれぞれの間隔は、Ｌ０／√２である。
【００６４】
ここで、図１、図６（ｂ）および（ｃ）に示されているように、ケーブル１００が管路９２の延在方向に対して屈曲しているときについて考える。図１に示されているように、管路９２の延在方向に沿った鉛直面に投影したときのケーブル１００が管路９２の延在方向に対して屈曲した角度をθとする。ただし、θは、ケーブル１００が管路９２の延在方向に対して鉛直下向きに屈曲する方向を正とし、−π／２≦θ≦π／２である。また、図６（ｂ）および（ｃ）に示されているように、管路９２の延在方向に垂直な鉛直面したときのケーブル１００が鉛直下方向に対して周方向に屈曲した角度をαとする。ただし、ケーブル拘束部２０側から管路口９４側を見てケーブル１００が鉛直下方向に対して時計回りに屈曲する方向を正とし、−π／４≦α≦π／４である。
【００６５】
基準角度調整部４１０は、上述のように屈曲したケーブル１００に対して最も内側に配置される。このため、管路口９４から第３可動角度調整部４２３の屈曲部５１０ｂまでの距離は、管路口９４から基準角度調整部４１０の屈曲部５１０ａまでの距離以上であり、第３可動角度調整部４２３の屈曲部５１０ｂから固定板３００までの距離は、基準角度調整部４１０の屈曲部５１０ａから固定板３００までの距離以上である。なお、第１可動角度調整部４２１、第２可動角度調整部４２２についても同様の関係を満たす。これにより、ケーブル１００が屈曲した方向に応じて、管路口９４に対して固定板３００が傾斜する。
【００６６】
また、上述のように、管路９２の延在方向に沿った鉛直面に投影したとき、ケーブル１００が管路９２の延在方向に対して屈曲した角度（管路方向に対してケーブル１００が屈曲した方向）をθとしたとき、管路口９４（を形成する面）と、基準角度調整部４１０の屈曲部５１０ａおよび第３可動角度調整部４２３の屈曲部５１０ｂの間を結ぶ直線と、の角度は、θ／２であり、基準角度調整部４１０の屈曲部５１０ａおよび第３可動角度調整部４２３の屈曲部５１０ｂの間を結ぶ直線と、固定板３００と、の角度は、θ／２である。すなわち、管路口９４から第３可動角度調整部４２３の屈曲部５１０ｂまでの距離は、第３可動角度調整部４２３の屈曲部５１０ｂから固定板３００までの距離と等しい。なお、上述のように、管路口９４から第３可動角度調整部４２３の屈曲部５１０ｂまでの距離が第３可動角度調整部４２３の屈曲部５１０ｂから固定板３００までの距離と等しくなるように、管路側ボルト頭部５４０の軸方向の長さ、および拘束側ボルト頭部５５０の軸方向の長さが予め設定されている。これにより、管路口９４に対する固定板３００の角度はケーブル１００が管路９２の延在方向に対して屈曲した角度と同じθとなる。また、管路口９４（管路口防水装置締め付け金具９４０）に対する基準角度調整部４１０の管路側ボルト５２０ａの角度、管路口９４（管路口防水装置締め付け金具９４０）に対する第３可動角度調整部４２３の管路側ボルト５２０ｂの角度、固定板３００に対する基準角度調整部４１０の拘束部側ボルト５３０ａの角度、固定板３００に対する第３可動角度調整部４２３の拘束部側ボルト５３０ｂの角度が、それぞれ直角となる。なお、第１可動角度調整部４２１、第２可動角度調整部４２２についても同様の関係を満たす。管路口９４（管路口防水装置締め付け金具９４０）に対して固定板３００を傾斜させた状態で、基準角度調整部４１０の管路側ボルト５２０ａおよび第３可動角度調整部４２３の管路側ボルト５２０ｂをそれぞれ管路口９４（管路口防水装置締め付け金具９４０）の貫通孔（不図示）に対して固定し易い方向に挿入することができ、また基準角度調整部４１０の拘束部側ボルト５３０ａおよび第３可動角度調整部４２３の拘束部側ボルト５３０ｂをそれぞれ固定板３００の貫通孔３０４ｂ，３０５ｂに対して固定し易い方向に挿入することができる。したがって、ケーブル１００が管路９２の延在方向に対して屈曲した角度に応じて、固定板３００を管路口９４（管路口防水装置締め付け金具９４０）に対して容易に且つ確実に固定することができる。
【００６７】
次に、ケーブル１００が鉛直下方向に対して周方向に屈曲した角度αを考慮して、管路口９４から３つの可動角度調整部４２０のそれぞれの屈曲部５１０ｂまでの距離、および３つの可動角度調整部４２０のそれぞれの屈曲部５１０ｂから固定板３００までの距離について説明する。
【００６８】
図６（ｂ）および（ｃ）において、太実線矢印は、固定板３００の中心に対するケーブル１００の屈曲方向を示している。図６（ｂ）および（ｃ）に示されているように、管路９２の延在方向に垂直な鉛直面に投影したとき、固定板３００における、基準角度調整部４１０から第１可動角度調整部４２１までのケーブル１００の屈曲方向に沿った方向の距離をＬ１、基準角度調整部４１０から第２可動角度調整部４２２までのケーブル１００の屈曲方向に沿った方向の距離をＬ２、基準角度調整部４１０から第３可動角度調整部４２３までのケーブル１００の屈曲方向に沿った方向の距離をＬ３としたとき、Ｌ１、Ｌ２およびＬ３は、以下の式（４）〜（６）を満たす。
Ｌ１＝Ｌ０／√２×ｓｉｎ｜α｜  ・・・（４）
Ｌ２＝Ｌ０×ｓｉｎ（π／４＋｜α｜）  ・・・（５）
Ｌ３＝Ｌ０／√２×ｓｉｎ（π／２−｜α｜）  ・・・（６）
【００６９】
管路口９４から基準角度調整部４１０の屈曲部５１０ａまでの距離に対する、管路口９４から第１可動角度調整部４２１の屈曲部５１０ｂまでの差分距離をＴ１、管路口９４から第２可動角度調整部４２２の屈曲部５１０ｂまでの差分距離をＴ２、および管路口９４から第３可動角度調整部４２３の屈曲部５１０ｂまでの距離をＴ３としたとき、Ｔ１、Ｔ２およびＴ３は、以下の式（７）〜（９）を満たす。
Ｔ１＝Ｌ１×ｔａｎ｜θ｜／２  ・・・（７）
Ｔ２＝Ｌ２×ｔａｎ｜θ｜／２  ・・・（８）
Ｔ３＝Ｌ３×ｔａｎ｜θ｜／２  ・・・（９）
【００７０】
したがって、式（４）〜（９）により、Ｔ１、Ｔ２およびＴ３は、以下の式（１）〜（３）を満たす。
Ｔ１＝Ｌ０／√２×ｓｉｎ｜α｜×ｔａｎ｜θ｜／２  ・・・（１）
Ｔ２＝Ｌ０×ｓｉｎ（π／４＋｜α｜）×ｔａｎ｜θ｜／２  ・・・（２）
Ｔ３＝Ｌ０／√２×ｓｉｎ（π／２−｜α｜）×ｔａｎ｜θ｜／２  ・・・（３）
【００７１】
Ｔ１、Ｔ２およびＴ３が、上記した式（１）〜（３）を満たすことにより、ケーブル１００が鉛直下方向に対して周方向（α方向）に屈曲している場合であっても、管路口９４に対する固定板３００の角度をケーブル１００が管路９２の延在方向に対して屈曲した角度（θ）と等しくすることができる。
【００７２】
このとき、固定板３００の管路口９４と反対側では、ケーブル１００が固定板３００に対して垂直な方向に延在した状態になる。また、固定板３００に固定された長ボルト２０９は、固定板３００の管路口９４と反対側におけるケーブル１００の方向に沿った状態となる。また、長ボルト２０９に沿って移動可能に固定された把持部２００は、直線的にケーブル１００を把持する。このようにして、固定板３００に対して垂直な方向に設けられるケーブル拘束部２０は、ケーブル１００が管路口９４から屈曲した先で直線に沿った状態でケーブル１００を拘束することができる。
【００７３】
（具体的寸法）
ここで、単位がラジアンである角度θおよびαを、単位が°であるθ’およびα’として具体的な寸法について説明する。すなわち、以下において、
θ＝π／１８０×θ’  ・・・（１０）
α＝π／１８０×α’  ・・・（１１）
とする。
【００７４】
本実施形態に係るケーブル拘束装置１０において、管路口９４に対する固定板３００の角度θ’の最大値は例えば１２．５°である。このときのケーブル１００の曲げ半径は６３６．１６ｍｍである。
【００７５】
一方、ケーブル許容曲げ半径をＤ１、シース外径をＤとしたとき、Ｄ１＝１０Ｄとなる。オフセット部のケーブル１００の曲げ半径は、１．６×Ｄ１＝１６Ｄで求められる。想定される公称電圧６６ｋＶの最小のケーブル１００のシース外径Ｄは４３．８ｍｍである。このときのオフセット部のケーブル１００の曲げ半径は７００ｍｍとなる。
【００７６】
したがって、管路口９４に対する固定板３００の角度θ’の最大値が１２．５°であれば、ケーブル拘束装置１０を、想定される全てのサイズのケーブルに適用することができる。
【００７７】
ここで、図７は、管路口から第１可動角度調整部の屈曲部までの差分距離Ｔ１を選定する図であり、図８は、管路口から第２可動角度調整部の屈曲部までの差分距離Ｔ２を選定する図であり、図９は、管路口から第３可動角度調整部の屈曲部までの距離Ｔ３を選定する図である。図７〜図９は、それぞれ式（１）〜（３）に式（１０）および（１１）を代入してグラフにしたものである。なお、Ｌ０を２５０ｍｍとしている。また、ケーブル拘束部２０側から管路口９４側を見てケーブル１００が鉛直下方向に対して時計と反対回りに屈曲する場合（−４５≦α’＜０°）のグラフは、ケーブル拘束部２０側から見てケーブル１００が鉛直下方向に対して時計回りに屈曲する場合（０°≦α’≦４５°）と同様のグラフとなる。図７〜図９から、所定のα’およびθ’のときにおける具体的なＴ１、Ｔ２およびＴ３の値を求めることができる。
【００７８】
（２）ケーブル拘束装置の組み立て方法
次に、本発明の一実施形態に係るケーブル拘束装置１０の組み立て方法について説明する。
【００７９】
ここで、管路９２には、ケーブル１００が布設されている。ケーブル１００の端部は、管路９２の管路口９４からマンホール（符号不図示）側に突出している。本実施形態では、例えばマンホールが短いため、ケーブル１００は、管路口９４近傍からオフセット部を形成するように、管路９２の延在方向に対して鉛直下方向に向けて屈曲される。
【００８０】
（固定板形成工程）
まず、図４に示されているように、固定板上部３０５および固定板下部３０４によりケーブル１００の周囲を囲み、固定板上部３０５の貫通孔３０５ｃ、固定板下部３０４の貫通孔３０４ｃをそれぞれ連結板３０６の貫通孔３０６ａに重ねた状態で、ボルト３２３を貫通孔３０５ｃ，３０４ｃのそれぞれに挿入し、ナット３２４によって固定する。これにより、固定板上部３０５および固定板下部３０４を、ケーブル１００を囲むように連結板３０６によって連結する。
【００８１】
（角度調整工程）
次に、図１に示されているように、固定板３００の内部にケーブル１００が挿通された状態で、角度調整部４００により管路口９４（管路口防水装置締め付け金具９４０）と固定板３００とを連結する。また、角度調整部４００を管路口９４および固定板３００の間で屈曲させることにより、管路口９４に対する固定板３００の角度を調整する。
【００８２】
このとき、以下のようにして、基準角度調整部４１０および３つの可動角度調整部４２０により、管路口９４（管路口防水装置締め付け金具９４０）と固定板３００とを連結する。
【００８３】
まず、基準角度調整部４１０の管路側ボルト５２０ａを、管路口防水装置締め付け金具９４０に設けられる貫通孔（不図示）および防水管９２０のフランジ部９２２に設けられる貫通孔（不図示）に挿入し、フランジ部９２２の管路９２側に設けられるナット９４２ａによって管路口９４（管路口防水装置締め付け金具９４０）に固定する。このとき、管路側ボルト頭部５４０の屈曲部５１０ａと反対側の端部を、管路口９４（管路口防水装置締め付け金具９４０）に接して固定する。これにより、基準角度調整部４１０の屈曲部５１０ａは、管路口防水装置締め付け金具９４０から管路側ボルト頭部５４０の軸方向の長さだけ離間した位置に固定される。
【００８４】
次に、可動角度調整部４２０の管路側ボルト５２０ｂを、管路口防水装置締め付け金具９４０に設けられる貫通孔（不図示）および防水管９２０のフランジ部９２２に設けられる貫通孔（不図示）に挿入し、フランジ部９２２の管路９２側に設けられるナット９４２ｂおよび管路側可動ナット５６０によって管路口９４（管路口防水装置締め付け金具９４０）に仮固定する。このとき、管路側可動ナット５６０を、管路口９４（管路口防水装置締め付け金具９４０）に接して固定する。
【００８５】
次に、基準角度調整部４１０の拘束部側ボルト５３０ａを、固定板下部３０４の貫通孔３０４ｂに挿入し、ナット５５２によって固定板３００に固定する。このとき、拘束側ボルト頭部５５０の屈曲部５１０ａと反対側の端部を、固定板３００に接して固定する。これにより、基準角度調整部４１０の屈曲部５１０ａは、固定板３００から拘束側ボルト頭部５５０の軸方向の長さだけ離間した位置に固定される。
【００８６】
次に、可動角度調整部４２０の拘束部側ボルト５３０ｂを、固定板上部３０５の貫通孔３０５ｂまたは固定板下部３０４の貫通孔３０４ｂに挿入し、拘束側可動ナット５７４およびナット５７６によって固定板３００に仮固定する。このとき、拘束側可動ナット５７４を、固定板３００に接して固定する。
【００８７】
次に、基準角度調整部４１０および可動角度調整部４２０により管路口９４（管路口防水装置締め付け金具９４０）と固定板３００とを仮に連結した状態で、ケーブル１００が管路９２の延在方向に対して屈曲する方向に合わせて、管路口９４に対する固定板３００の角度を調整する。
【００８８】
このとき、基準角度調整部４１０の屈曲部５１０ａは、管路口防水装置締め付け金具９４０から管路側ボルト頭部５４０の軸方向の長さだけ離間した位置に固定され、固定板３００から拘束側ボルト頭部５５０の軸方向の長さだけ離間した位置に固定されている。したがって、この基準角度調整部４１０の屈曲部５１０ａの位置を基準として、管路口９４から３つの可動角度調整部４２０のそれぞれの屈曲部５１０ｂまでの距離、および３つの可動角度調整部４２０のそれぞれの屈曲部５１０ｂから固定板３００までの距離を、以下のようにして調整する。例として、第３可動角度調整部４２３について説明する。
【００８９】
図１に示されているように、管路９２の延在方向に沿った鉛直面に投影したときのケーブル１００が管路９２の延在方向に対して屈曲した角度をθとしたとき、管路口９４と、基準角度調整部４１０の屈曲部５１０ａおよび第３可動角度調整部４２３の屈曲部５１０ｂの間を結ぶ直線と、の角度を、θ／２とし、基準角度調整部４１０の屈曲部５１０ａおよび第３可動角度調整部４２３の屈曲部５１０ｂの間を結ぶ直線と、固定板３００と、の角度を、θ／２とする。すなわち、管路口９４から第３可動角度調整部４２３の屈曲部５１０ｂまでの距離を、第３可動角度調整部４２３の屈曲部５１０ｂから固定板３００までの距離と等しくする。なお、第１可動角度調整部４２１、第２可動角度調整部４２２についても同様にして連結する。
【００９０】
また、管路口９４から基準角度調整部４１０の屈曲部５１０ａまでの距離に対する、管路口９４から第１可動角度調整部４２１の屈曲部５１０ｂまでの差分距離Ｔ１、管路口９４から第２可動角度調整部４２２の屈曲部５１０ｂまでの差分距離Ｔ２、および管路口９４から第３可動角度調整部４２３の屈曲部５１０ｂまでの距離Ｔ３を、上記した式（１）〜式（３）を満たすようにする。
【００９１】
以上により、ケーブル１００が管路９２の延在方向に対して屈曲する方向に合わせて、管路口９４に対する固定板３００の角度が調整される。
【００９２】
（ケーブル拘束工程）
次に、ケーブル拘束部２０により、以下のようにして、ケーブル１００が長手方向に移動することを弾性的に規制するようにケーブル１００を拘束する。
【００９３】
図２に示されているように、ケーブル１００ａを第１把持金物２０１および第２把持金物２０２により挟み、第２把持金物２０２の筒状部の内部にばね２１８およびばね押さえ２２０を介してボルト２１９を挿入し、ボルト２１９を第１把持金物２０１のボルト穴２２１に螺合させる。これにより、第１把持金物２０１および第２把持金物２０２によってケーブル１００ａが把持される。
【００９４】
ケーブル１００ｂ，１００ｃを第１把持金物２０１および第３把持金物２０３により挟み、第３把持金物２０３の筒状部の内部にばね２１８およびばね押さえ２２０を介してボルト２１９を挿入し、ボルト２１９を第１把持金物２０１のボルト穴２２１に螺合させる。これにより、第１把持金物２０１および第３把持金物２０３によってケーブル１００ｂ，１００ｃが把持される。
【００９５】
このようにしてケーブル拘束部２０の把持部２００によってケーブル１００を短手方向の両側から把持する。
【００９６】
次に、ガイド金物上部２０８およびガイド金物下部２０７を、把持部２００よりも管路口９４と反対側に配置し、ガイド金物上部２０８およびガイド金物下部２０７を、ケーブル１００を囲むように連結する。次に、ボルト２２２をガイド金物上部２０８の貫通孔２０８ｃを介して第１把持金物２０１のボルト穴に螺合させる。これにより、第１把持金物２０１は、ガイド金物上部２０８に固定される。
【００９７】
次に、図３に示されているように、長ボルト２０９を、ガイド金物上部２０８の第１把持金物２０１と反対側から、ガイド金物上部２０８の貫通孔２０８ｂに挿入する。なお、ガイド金物下部２０７の貫通孔２０７ｂに対しても同様に長ボルト２０９を挿入する。
【００９８】
長ボルト２０９の、ガイド金物上部２０８の第１把持金物２０１側の位置に、ワッシャ（ばね用座金）２１３を介して、スプリング（圧縮コイルばね）２１０を嵌め、長ボルト２０９の、スプリング２１０のガイド金物上部２０８と反対側の位置に、ワッシャ（ばね用座金）２１２を介して、ナット２３５，２３６を螺合させる。
【００９９】
長ボルト２０９におけるナット２３５，２３６の位置を調整することにより、ケーブル１００の長手方向における把持部２００の位置を調整し、ケーブル１００を管路９２内に引き込む力（波乗り力）に抗する力をケーブル１００に与える。
【０１００】
（ケーブル拘束部固定工程）
次に、図３に示されているように、固定板上部３０５の貫通孔３０５ａに、長ボルト２０９の袋ナット２１７と反対側の端部を挿入する。長ボルト２０９の、固定板上部３０５を挟んで両側の位置に、それぞれスプリングワッシャ３１６ａおよび平ワッシャ３１６ｂを介してナット３１４を螺合させる。同様にして、固定板下部３０４の貫通孔３０４ａには、長ボルト２０９の管路口９４側（袋ナット２１７と反対側）の端部を挿入する。長ボルト２０９の、固定板下部３０４を挟んで両側の位置に、それぞれスプリングワッシャ３１６ａおよび平ワッシャ３１６ｂを介してナット３１４を螺合させる。これにより、ケーブル拘束部２０の長ボルト２０９を、固定板３００の主面に垂直な方向に沿って固定板３００に固定する。
【０１０１】
なお、ケーブル拘束部２０を固定板３００に固定した後に、管路口９４に対する固定板３００の角度を微調整してもよい。
【０１０２】
以上により、本実施形態に係るケーブル拘束装置１０が組み立てられる。
【０１０３】
（３）本実施形態に係る効果
本実施形態やその変形例によれば、以下に示す１つ又は複数の効果を奏する。
【０１０４】
（ａ）本実施形態によれば、ケーブル拘束部２０は、ケーブル１００が長手方向に沿って移動することを弾性的に規制するようにケーブル１００を拘束する。角度調整部４００は、管路口９４（管路口防水装置締め付け金具９４０）と固定板３００とを連結し、管路口９４および固定板３００の間で屈曲することにより、管路口９４に対する固定板３００の角度を調整可能である。これにより、想定されるケーブル１００の曲がり状況に合わせて、ケーブル１００が長手方向に移動することを弾性的に規制するように安定的にケーブル１００を拘束することができるケーブル拘束装置１０を提供することができる。
【０１０５】
ここで、これまででは、特許文献１に記載されているように、管路口に対して垂直な方向にケーブル拘束部が固定されるケーブル拘束装置が用いられてきた。このようなケーブル拘束装置がケーブルが長手方向に移動することを弾性的に規制するようにケーブルを拘束するためには、ケーブルが管路口近傍に直線状となっている必要があった。しかしながら、短いマンホール等では管路口近傍にケーブルの直線部分を確保できないため、ケーブル拘束装置を取り付けることができない場合があった。したがって、ケーブルの曲がり状況によっては、ケーブルが長手方向に移動することを弾性的に規制するようにケーブルを拘束することができない可能性があった。
【０１０６】
これに対して本実施形態によれば、角度調整部４００は、管路口９４（管路口防水装置締め付け金具９４０）と固定板３００とを連結し、管路口９４および固定板３００の間で屈曲する。これにより、管路口９４に対する固定板３００の角度を調整することができる。角度調整部４００により管路口９４に対する固定板３００の角度を調整することにより、管路口９４に対する固定板３００の角度をケーブル１００が管路９２の延在方向に対して屈曲した角度（θ）と等しくすることが可能となる。このとき、固定板３００の管路口９４と反対側では、ケーブル１００が固定板３００に対して垂直な方向に延在した状態になる。これにより、固定板３００に固定されるケーブル拘束部２０は、ケーブル１００が管路口９４から屈曲した先で直線に沿った状態でケーブル１００を拘束することが可能となる。
【０１０７】
このようにして、本実施形態によれば、想定されるケーブル１００の曲がり状況に合わせて、ケーブル１００が長手方向に移動することを弾性的に規制するように安定的にケーブル１００を拘束することができるケーブル拘束装置１０を提供することができる。例えば、短いマンホール等において管路口９４近傍にケーブルの直線部分を確保できない場合に特に有効である。
【０１０８】
（ｂ）本実施形態によれば、現地調査のための費用と時間をかけることなく、現地でのケーブルの曲がり状況に合わせてケーブル１００を拘束することができる。
【０１０９】
ここで、上記した特許文献１に記載のケーブル拘束装置が使用できないとき、短いマンホール等においては、ケーブルの曲がり状況を計測することにより、その曲がり状況に合わせて曲げられた鋼材にケーブルを固定する専用金物（クリート）が取り付けられていた。しかしながら、このようなクリートは個別に設計するため汎用性に欠け、クリートを製作するためには現地調査やケーブルの曲がり状況の厳密な測定が必要とされており、費用と時間がかかっていた。また、クリートは、ケーブルを固定するため、ケーブルの長手方向に対する伸縮に対応することができなかった。
【０１１０】
これに対して、角度調整部４００により管路口９４に対する固定板３００の角度を調整することにより、現地でのケーブルの曲がり状況に合わせてケーブル１００を拘束することができる。これにより、現地調査やケーブルの曲がり状況の厳密な測定のための費用と時間をかける必要がない。また、ケーブル拘束部により、ケーブルの伸縮に対してケーブルが長手方向に移動することを弾性的に規制するようにケーブルを拘束することができる。
【０１１１】
（ｃ）本実施形態によれば、角度調整部４００は、一端が管路口９４（管路口防水装置締め付け金具９４０）に固定される管路側ボルト５２０と、管路側ボルト５２０に接続され管路側ボルト５２０の長手方向に垂直な方向に屈曲可能な屈曲部５１０と、屈曲部５１０の管路側ボルト５２０と反対側に接続され屈曲部５１０と反対側の端部が固定板３００に固定される拘束部側ボルト５３０と、を有する。これにより、管路口９４に対する固定板３００の角度を調整しながら、管路口９４（管路口防水装置締め付け金具９４０）に対して固定板３００を固定することができる。
【０１１２】
（ｄ）本実施形態によれば、角度調整部４００は、ケーブル１００の周囲に複数設けられる。複数の角度調整部４００は、基準角度調整部４１０と可動角度調整部４２０とを含む。基準角度調整部４１０は屈曲したケーブル１００の内側に配置され、基準角度調整部４１０屈曲部５１０ａは管路口９４（管路口防水装置締め付け金具９４０）および固定板３００のそれぞれに対して所定の位置で固定される。可動角度調整部４２０は基準角度調整部４１０からケーブル１００の周方向に離間した位置に設けられ、可動角度調整部４２０の屈曲部５１０ｂは管路口９４および固定板３００のそれぞれに対する位置を調整可能に管路口９４（管路口防水装置締め付け金具９４０）および固定板３００のそれぞれに対して固定される。
【０１１３】
ここで、比較例として、角度調整部４００が、管路側ボルト５２０、屈曲部５１０および拘束部側ボルト５３０で構成されており、全ての角度調整部４００における管路側ボルト５２０および拘束部側ボルト５３０の固定位置が任意とした場合、角度調整部４００の管路口９４および固定板３００に対する固定位置の自由度が高く、管路口９４に対する固定板３００の角度を調整することが困難となる可能性がある。
【０１１４】
そこで、本実施形態によれば、ケーブル拘束装置１０を組み立てる際に、まず、基準角度調整部４１０および可動角度調整部４２０を管路口９４（管路口防水装置締め付け金具９４０）および固定板３００のそれぞれに仮に連結した状態で、基準角度調整部４１０の屈曲部５１０ａを、管路口９４（管路口防水装置締め付け金具９４０）および固定板３００のそれぞれに対して所定の位置で固定する。この基準角度調整部４１０の屈曲部５１０ａの位置を基準として、管路口９４および固定板３００のそれぞれに対する可動角度調整部４２０の屈曲部５１０ｂの位置を調整する。これにより、ケーブル１００が管路９２の延在方向に対して屈曲する方向に合わせて、管路口９４に対する固定板３００の角度を調整しながら、管路口９４（管路口防水装置締め付け金具９４０）と固定板３００とを連結することができる。このように基準角度調整部４１０を基準とすることで、管路口９４（管路口防水装置締め付け金具９４０）と固定板３００との連結作業が容易となる。
【０１１５】
（ｅ）本実施形態によれば、管路９２の延在方向に沿った鉛直面に投影したとき、ケーブル１００が管路９２の延在方向に対して屈曲した角度をθとしたとき、管路口９４と、基準角度調整部４１０の屈曲部５１０ａおよび第３可動角度調整部４２３の屈曲部５１０ｂの間を結ぶ直線と、の角度は、θ／２であり、基準角度調整部４１０の屈曲部５１０ａおよび第３可動角度調整部４２３の屈曲部５１０ｂの間を結ぶ直線と、固定板３００と、の角度は、θ／２である。すなわち、管路口９４から第３可動角度調整部４２３の屈曲部５１０ｂまでの距離は、第３可動角度調整部４２３の屈曲部５１０ｂから固定板３００までの距離と等しい。これにより、管路口９４に対する固定板３００の角度はケーブル１００が管路９２の延在方向に対して屈曲した角度と同じθとなる。また、管路口９４に取り付けられた管路口９４に対する基準角度調整部４１０の管路側ボルト５２０ａの角度、管路口９４に対する第３可動角度調整部４２３の管路側ボルト５２０ｂの角度、固定板３００に対する基準角度調整部４１０の拘束部側ボルト５３０ａの角度、固定板３００に対する第３可動角度調整部４２３の拘束部側ボルト５３０ｂの角度が、それぞれ直角となる。なお、第１可動角度調整部４２１、第２可動角度調整部４２２についても同様の関係を満たす。管路口９４（管路口防水装置締め付け金具９４０）に対して固定板３００を傾斜させた状態で、基準角度調整部４１０の管路側ボルト５２０ａおよび第３可動角度調整部４２３の管路側ボルト５２０ｂをそれぞれ管路口９４（管路口防水装置締め付け金具９４０）の貫通孔（不図示）に対して固定し易い方向に挿入することができ、また基準角度調整部４１０の拘束部側ボルト５３０ａおよび第３可動角度調整部４２３の拘束部側ボルト５３０ｂをそれぞれ固定板３００の貫通孔３０４ｂ，３０５ｂに対して固定し易い方向に挿入することができる。したがって、ケーブル１００が管路９２の延在方向に対して屈曲した角度に応じて、固定板３００を管路口９４（管路口防水装置締め付け金具９４０）に対して容易に且つ確実に固定することができる。
【０１１６】
（ｆ）本実施形態によれば、Ｔ１、Ｔ２およびＴ３が、上記した式（１）〜（３）を満たす。ケーブル１００が鉛直下方向に対して周方向（α方向）に屈曲している場合であっても、管路口９４に対する固定板３００の角度をケーブル１００が管路９２の延在方向に対して屈曲した角度（θ）と等しくすることができる。
【０１１７】
＜本発明の他の実施形態＞
以上、本発明の実施形態について具体的に説明したが、本発明は上述の実施形態に限定されるものではなく、その要旨を逸脱しない範囲で種々変更可能である。
【０１１８】
上述の実施形態では、ケーブル１００が鉛直下側に屈曲し、基準角度調整部４１０がケーブル１００に対して鉛直下側に位置する場合について図示して説明したが、ケーブルが鉛直上側に屈曲する場合には、基準角度調整部は鉛直上側に位置すればよい。
【０１１９】
また、上述の実施形態では、ケーブル１００が３本である場合について説明したが、ケーブルは３本でなくてもよい。
【０１２０】
また、上述の実施形態では、角度調整部４００が４つ設けられる場合について説明したが、角度調整部は４つでなくてもよく、１〜３つ、または５つ以上であってもよい。なお、ケーブル拘束装置の安定性の観点から、角度調整部は４つであることが好ましい。
【０１２１】
また、上述の実施形態では、固定板形成工程、角度調整工程、ケーブル拘束工程を順に行う場合について説明したが、固定板形成工程、角度調整工程、ケーブル拘束工程の順番は入れ替えても良い。例えば、角度調整工程において基準角度調整部および可動角度調整部を管路口に仮固定した後に固定板形成工程を行っても良い。また、例えば、ケーブル拘束工程、角度調整工程、固定板形成工程の順で行っても良い。
【符号の説明】
【０１２２】
１０  ケーブル拘束装置
２０  ケーブル拘束部
９０  壁面
９２  管路
９４  管路口
１００，１００ａ，１００ｂ，１００ｃ  ケーブル
２００  把持部
２０１  第１把持金物
２０１ａ  凹部
２０１ｂ  凹部
２０２  第２把持金物
２０２ａ  凹部
２０２ｔ  筒状部
２０３  第３把持金物
２０３ａ  凹部
２０３ｔ  筒状部
２０７  ガイド金物下部
２０７ａ，２０７ｂ  貫通孔
２０８  ガイド金物上部
２０８ａ，２０８ｂ，２０８ｃ  貫通孔
２０９  長ボルト
２１０  スプリング（圧縮コイルばね）
２１２，２１３  ワッシャ（ばね用座金）
２１５  ナット
２１７  袋ナット
２１８  ばね
２１９  ボルト
２２０  ばね押さえ
２２１  ボルト穴
２２２  ボルト
２２４ａ  ボルト
２２４ｂ  ナット
２２７，２２８，２２９，２３０  ゴムスペーサ
２３５，２３６  ナット
３００  固定板
３０４  固定板下部
３０４ａ，３０４ｂ，３０４ｃ  貫通孔
３０５  固定板上部
３０５ａ，３０５ｂ，３０５ｃ  貫通孔
３０６  連結板（継目板）
３０６ａ  貫通孔
３１４  ナット
３１６ａ  スプリングワッシャ
３１６ｂ  平ワッシャ
３２３  ボルト
３２４  ナット
４００  角度調整部
４１０  基準角度調整部
４２０  可動角度調整部
４２１  第１可動角度調整部
４２２  第２可動角度調整部
４２３  第３可動角度調整部
５１０，５１０ａ，５１０ｂ  屈曲部
５２０  管路側ボルト
５２０ａ，５２０ｂ  管路側ボルト
５３０  拘束部側ボルト
５３０ａ，５３０ｂ  拘束部側ボルト
５４０  管路側ボルト頭部
５５０  拘束側ボルト頭部
５５２  ナット
５６０  管路側可動ナット
５６０ａ，５６０ｂ  ナット
５７４  拘束側可動ナット
５７６  ナット
９２０  防水管
９２２  フランジ部
９４０  管路口防水装置締め付け金具
９４２ａ，９４２ｂ  ナット
【図１】
2015171168.tif 000003
【図２】
2015171168.tif 000004
【図３】
2015171168.tif 000005
【図４】
2015171168.tif 000006
【図５】
2015171168.tif 000007
【図６】
2015171168.tif 000008
【図７】
2015171168.tif 000009
【図８】
2015171168.tif 000010
【図９】
2015171168.tif 000011